(57)【要約】【課題】小型化が可能であるとともに、小絞り回折によりＭＴＦが劣化する区間を短くすることが可能な光学機器を提供する。【解決手段】固定開口部９２ｆに対して光軸方向で重なる領域内を移動して光通過口の開口面積を変化させる複数の遮光部材９５、９６と、光通過口に対して光軸方向で重なる領域内を移動可能なＮＤフィルタ９７と、駆動源９２からの駆動力により複数の遮光部材９５、９６およびＮＤフィルタ９７を駆動する駆動機構とを備え、駆動機構は、固定開口部９２ｆに対するＮＤフィルタ９７の移動速度が固定開口部９２ｆに対する複数の遮光部材９５、９６の移動速度よりも速くなるようにＮＤフィルタを駆動する。【選択図】　図２
2004138953.tif 000002
【特許請求の範囲】
【請求項１】
光量調節装置を有する光学機器であって、
前記光量調節装置が、
光通過口となる固定開口部を有する装置本体と、
この装置本体に設けられた駆動源と、
前記固定開口部に対して光軸方向で重なる領域内を移動して光通過口の開口面積を変化させる複数の遮光部材と、
前記光通過口に対して光軸方向で重なる領域内を移動可能なＮＤフィルタと、前記駆動源からの駆動力により前記複数の遮光部材および前記ＮＤフィルタを駆動する駆動機構とを備え、
前記駆動機構は、前記固定開口部に対する前記ＮＤフィルタの移動速度が前記固定開口部に対する前記複数の遮光部材の移動速度よりも速くなるように前記ＮＤフィルタを駆動することを特徴とする光学機器。
【発明の詳細な説明】
【０００１】
【発明の属する技術分野】
本発明は、光量調節装置を有し、ビデオカメラ等の撮像装置又はレンズ装置等の光学機器に関するものである。
【０００２】
【従来の技術】
従来のビデオカメラ等の撮影装置に搭載されている光量調節装置として例えば、図１８に示す構成のものが知られている。この光量調節装置は２枚羽根型のものであり、１つの回動式電磁アクチュエータ（モータ）２３ｃを駆動源とし、シーソー式の駆動レバー２３ｄを介して２枚の絞り羽根２３ａ、２３ｂを駆動する構成のものである。
【０００３】
絞り羽根２３ａには、ＮＤ（ｎｅｕｔｒａｌ　ｄｅｎｓｉｔｙ）フィルタ２３ａ１が貼り付けられている。被写体が明るいときに、絞り羽根２３ａ、２３ｂによって形成される開口（絞り開口）の径が小さくなりすぎると、回折による画質の劣化と焦点深度の増大によるゴミの写り込みが問題となる。このため、絞り羽根２３ａにＮＤフィルタ２３ａ１を貼り付けて、ＮＤフィルタ２３ａ１を絞り羽根２３ａ、２３ｂの絞り開口内に位置させることで、極端な小絞りになるのを防ぐようにしたものである。
【０００４】
図１９は、上述した構成の光量調節装置において、絞りをオープンからクローズまで駆動する際の動きを連続的に示した図である。ここで、図１９中（ｇ）や（ｈ）に示す小絞りに到達する中間の過程（ｂ）〜（ｆ）において、絞り羽根２３ａ、２３ｂによって形成される絞り開口のうち、ＮＤフィルタ２３ａ１が絞り開口の全面にかかりきらない素通し部分があたかも小絞りのような効果を出してしまい、画質が劣化するという問題がある。
【０００５】
この問題を解決するため、また、近年は撮像素子が小さくなり、画素ピッチが細かくなって回折の影響が大きくなっているため、２枚の絞り羽根と２種類以上の濃度を有するＮＤ羽根とを別々に駆動する光量調節装置が提案されている。図２０に、この光量調節装置の分解斜視図を示す。
【０００６】
この光量調節装置において、回動アーム１０１がモータ１０２からの駆動力を受けて回動すると、２枚の絞り羽根１０３、１０４が、互いに反対の方向（図中上下方向）に移動して光通過口の開口面積を変化させる。また、回動アーム１０５がモータ１０６からの駆動力を受けて回動すると、ＮＤフィルタ１０７が貼り付けられたＮＤフィルタ保持部材１０８が図中上下方向に移動する。これにより、ＮＤフィルタ１０７が絞り羽根１０３、１０４によって形成された絞り開口内に進退する。
【０００７】
しかし、上述した光量調節装置では、絞り羽根１０３、１０４を駆動するために２つのモータ１０２、１０６を用いているため、部品点数の増加により光量調節装置が大型化してしまう。
【０００８】
そこで、回折の影響を軽減しつつ、１つの駆動源からの駆動力により絞り羽根およびＮＤフィルタを駆動する絞り装置がある（例えば、特許文献１参照）。この絞り装置では、小絞りに至るまでの中間絞りにおいて極小になった素通し部による回折の影響（画質の劣化）を軽減するようにしている。
【０００９】
具体的には、２枚の絞り羽根と、第１のＮＤフィルタが取着されたＮＤフィルタ保持部材とを有し、ＮＤフィルタ保持部材を、光軸方向において一方の絞り羽根を挟んで位置する他方の絞り羽根と同一方向に移動するように設け、他方の絞り羽根に、この絞り径形成用切欠の一部を覆うように第２のＮＤフィルタを取着して、第１のＮＤフィルタが絞り開口を覆う面積を、第２のＮＤフィルタが絞り開口を覆う面積より大きくするとともに、絞り径の変化に伴う第１のＮＤフィルタの変位量を第２のＮＤフィルタの変位量よりも大きくしている。
【００１０】
【特許文献１】
特開平１１−６４９２３号公報（第５図、第６図）。
【００１１】
【発明が解決しようとする課題】
しかし、特許文献１の光量調節装置では、同文献の図６に示すように、絞り開口が変化する区間においてコントラストが落ち込む区間が大きくなっている。ここで、コントラストが落ち込む区間では、ＭＴＦ（Ｍｏｄｕｌａｔｉｏｎ　Ｔｒａｎｓｆｅｒ　Ｆｕｎｃｔｉｏｎ）が劣化してしまい、この区間が大きければ光量調節装置を撮像装置に搭載した場合に、高品位な画質を得ることができない。
【００１２】
【課題を解決するための手段】
本発明の光学機器は、光量調節装置を有する光学機器であって、光量調節装置が、光通過口となる固定開口部を有する装置本体と、この装置本体に設けられた駆動源と、固定開口部に対して光軸方向で重なる領域内を移動して光通過口の開口面積を変化させる複数の遮光部材と、光通過口に対して光軸方向で重なる領域内を移動可能なＮＤフィルタと、駆動源からの駆動力により複数の遮光部材およびＮＤフィルタを駆動する駆動機構とを備え、駆動機構は、固定開口部に対するＮＤフィルタの移動速度が固定開口部に対する複数の遮光部材の移動速度よりも速くなるようにＮＤフィルタを駆動することを特徴とする。
【００１３】
すなわち、固定開口部に対するＮＤフィルタの移動速度を固定開口部に対する複数の遮光部材の移動速度よりも速くして、光通過口をＮＤフィルタで素速く覆うようにしている。これにより、ＮＤフィルタが光通過口の一部を覆う際に生じる小絞り回折によるＭＴＦ（コントラスト）の劣化を一時的、すなわち、絞り口径を変化させる区間におけるＭＴＦが劣化する区間を小さくすることができる。そして、本発明における光量調節装置を有する撮像装置（光学機器）においては、高品位な画質を得ることができる。
【００１４】
しかも、本発明の光学機器では、駆動機構が、１つの駆動源からの駆動力により複数の遮光部材およびＮＤフィルタを駆動するため、複数の遮光部材およびＮＤフィルタの駆動を別々の駆動源を用いて行う場合に比べて部品点数を減らすことができ、光学機器（光量調節装置）の小型化を図ることができる。
【００１５】
上記発明において、駆動機構は、例えば、駆動源からの駆動力を受けて複数の遮光部材を駆動する第１の駆動部材と、この第１の駆動部材からの駆動力を受けて作動し、ＮＤフィルタを、固定開口部に対する複数の遮光部材の移動速度よりも速い移動速度で駆動するための第２の駆動部材とを有する。
【００１６】
ここで、１つの駆動部材を用いてＮＤフィルタの移動速度が複数の遮光部材の移動速度よりも速くなるようにＮＤフィルタおよび複数の遮光部材を駆動することもできるが、この場合には、駆動部材が大型化し、光量調節装置も大型化してしまう。そこで、駆動機構として、上述したように第１の駆動部材および第２の駆動部材の２つの駆動部材を用いることにより、駆動部材が大型化することなくＮＤフィルタの移動速度を速めることができる。
【００１７】
また、上記発明において、駆動機構により、光通過口の開口面積が所定の開口面積となったときにＮＤフィルタを駆動するようにしてもよい。このように、光通過口の開口面積が所定の開口面積となったとき、すなわち、小絞り回折による影響が出始めるときからＮＤフィルタを駆動することで、ＮＤフィルタの移動領域を小さくすることができ、光学機器（光量調節装置）の大型化を防止することができる。
【００１８】
さらに、上記発明において、駆動機構により、ＮＤフィルタの移動速度を変化させてＮＤフィルタを駆動するようにしてもよい。これにより、例えば、ＮＤフィルタが小絞り回折による影響を与えない位置にあるときには、ＮＤフィルタの移動速度を遅くすることでＮＤフィルタの移動領域を小さくでき、光学機器（光量調節装置）の大型化を防止することができる。また、ＮＤフィルタが光通過口の一部を覆うとき、すなわち、小絞り回折による影響が出るときには、ＮＤフィルタの移動速度を速くすることで小絞り回折によりＭＴＦが劣化する区間を小さくすることができる。
【００１９】
ここで、ＮＤフィルタの移動速度を変化させる駆動機構の構成として、例えば、以下に説明する構成とすることができる。
【００２０】
上記駆動機構において、第２の駆動部材に突起部が形成されているとともに、ＮＤフィルタを保持する保持部材に、突起部と係合する長穴部が形成されており、この長穴部の形状を曲線状に形成した構成とすることができる。これにより、第２の駆動部材（突起部）から保持部材（長穴部）に伝達される駆動力を変化させることができ、ＮＤフィルタの移動速度を変化させることができる。
【００２１】
また、上記長穴部の形状が直線状に形成されている場合において、第２の駆動部材を揺動させることにより、長穴部の長手方向に対する駆動力の伝達方向を変えながら保持部材（ＮＤフィルタ）を駆動する構成とすることができる。これにより、第２の駆動部材（突起部）から保持部材（長穴部）に伝達される駆動力を変化させることができ、ＮＤフィルタの移動速度を変化させることができる。
【００２２】
さらに、上記駆動機構において、第１の駆動部材が第２の駆動部材に当接して、第２の駆動部材を駆動する構成であって、第２の駆動部材のうち第１の駆動部材と当接する領域にカム面を形成した構成とすることができる。これにより、第１の駆動部材とカム面との当接位置に応じて第２の駆動部材の駆動速度、すなわち、ＮＤフィルタの移動速度を変化させることができる。
【００２３】
一方、ＮＤフィルタのうち光通過口を先に覆う領域の幅に対して、後に光通過口を覆う領域の幅を小さくすることができる。すなわち、ＮＤフィルタの大きさを、光通過口を覆うことが可能な必要最小限の大きさとすることにより、ＮＤフィルタが不必要に大型化するのを防止でき、光学機器（光量調節装置）の大型化およびコストアップを防止することができる。
【００２４】
ここで、本発明の光学機器には、本発明における光量調節装置を光学系に含むレンズ装置や、この装置を撮影光学系に含む撮像装置などがある。
【００２５】
【発明の実施の形態】
（第１実施形態）
以下に本発明の第１実施形態である光学機器における光量調節装置について図面を使って説明する。図１は、本実施形態の光量調節装置を凸凹凸凸の４群構成の変倍光学系を有するレンズ鏡筒（光学機器）に適用した場合の説明図であり、このレンズ鏡筒の主要断面図を示している。このレンズ鏡筒は、不図示のカメラ本体に備え付けられる。
【００２６】
Ｌ１は第１レンズ群、Ｌ２は光軸方向に移動することにより変倍動作を行う第２レンズ群、Ｌ３は光軸と直交する平面内（光軸直交面内）を移動して振れ補正動作を行う第３レンズ群、Ｌ４は光軸方向に移動することにより合焦動作を行う第４レンズ群である。
【００２７】
１は第１レンズ群Ｌ１を保持する前玉鏡筒ユニット、２は第２レンズ群Ｌ２を保持する移動枠、３は第３レンズ群Ｌ３を保持し、この第３レンズ群Ｌ３を光軸と垂直な平面内で移動させるシフトユニットである。４は第４レンズ群Ｌ４を保持する移動枠、５はＣＣＤ等の撮像素子を取り付ける後部鏡筒である。
【００２８】
前玉鏡筒ユニット１および後部鏡筒５はそれぞれ、２本のガイドバーの一端部を支持し、ガイドバーを位置決めしている。また、他のガイドバーは、シフトユニット３および後部鏡筒５に支持され、位置決めされている。
【００２９】
移動枠２がガイドバーにより光軸方向に移動可能に支持されているとともに、移動枠４がガイドバーにより光軸方向に移動可能に支持されている。シフトユニット３は、前玉鏡筒ユニット１に対して位置決めされた状態で、後部鏡筒５および前玉鏡筒ユニット１間に挟み込まれている。
【００３０】
９は光学系に入射した光量を変化させる光量調節装置であり、後述するように２枚の絞り羽根を有している。これらの絞り羽根は、駆動源からの駆動力を受けることにより光量調節装置９に形成された開口部に対して進退可能となっており、光通過口の開口面積を変化させることができる。
【００３１】
また、光量調節装置９は、ＮＤフィルタを有しており、このＮＤフィルタは、後述するように駆動源からの駆動力を受けて絞り開口に対して進退可能となっている。なお、光量調節装置９については後ほど詳細な説明を加える。
【００３２】
後部鏡筒５は、前玉鏡筒ユニット１に位置決めされ、前玉鏡筒ユニット１とともにシフトユニット３を挟み込んだ状態で、レンズ鏡筒後方からビス３本により共締め固定されている。
【００３３】
１０は、第４レンズ群Ｌ４（移動枠４）を光軸方向に移動させて合焦動作を行わせるためのリードスクリューである。リードスクリュー１０は、この両端において、シフトユニット３およびステッピングモータステータユニット１１に設けられた軸受け部で支持されている。ステッピングモータステータユニット１１は、ロータマグネット１０ａを回転させるためのユニットである。
【００３４】
リードスクリュー１０の一端側（レンズ鏡筒後端側）には、多極に着磁されたロータマグネット１０ａが固定されている。また、リードスクリュー１０は、移動枠４に取り付けられたラック４ａと噛み合っており、ロータマグネット１０ａの回転により移動枠４（第４レンズ群Ｌ４）を光軸方向に移動させる。さらに、ラック４ａの近傍にはねじりコイルバネ４ｂが配置されており、このねじりコイルバネ４ｂにより移動枠４およびラック４ａを片寄せして、移動枠４、ラック４ａ、ガイドバー、リードスクリュー１０におけるガタをなくしている。
【００３５】
１２は、移動枠２（第２レンズ群Ｌ２）を光軸方向に移動させて変倍動作を行わせるためのリードスクリューである。リードスクリュー１２は、この両端において、シフトユニット３およびステッピングモータステータユニット１３に設けられた軸受け部で支持されている。ステッピングモータステータユニット１３は、ロータマグネット１２ａを回転させるためのユニットである。
【００３６】
リードスクリュー１２の一端側（レンズ鏡筒後端側）には、多極に着磁されたロータマグネット１２ａが固定されている。また、リードスクリュー１２は、移動枠２に取り付けられたラック２ａと噛み合っており、ロータマグネット１２ａの回転により移動枠２（第２レンズ群Ｌ２）を光軸方向に移動させる。さらに、ラック２ａの近傍にはねじりコイルバネ２ｂが配置されており、ねじりコイルバネ２ｂにより移動枠２およびラック２ａを片寄せして、移動枠２、ラック２ａ、ガイドバー、リードスクリュー１２におけるガタをなくしている。
【００３７】
ステッピングモータステータユニット１１、１３はそれぞれ、後部鏡筒５に、２本のビスで固定されている。１４はフォトインタラプタ（フォーカスリセットスイッチ）であり、移動枠４の光軸方向への移動に応じて、移動枠４に形成された遮光部による遮光、透光の切り替わりを電気的に検出する。不図示の制御部は、フォトインタラプタ１４からの出力信号に基づいて第４レンズ群Ｌ４の基準位置を検出する。このフォトインタラプタ１４は、基板を介してビス１本で後部鏡筒５に固定されている。
【００３８】
１５はフォトインタラプタ（ズームリセットスイッチ）であり、移動枠２の光軸方向への移動に応じて、移動枠２に形成された遮光部による遮光、透光の切り替わりを電気的に検出する。不図示の制御部は、フォトインタラプタ１５からの出力信号に基づいて第２レンズ群Ｌ２の基準位置を検出する。このフォトインタラプタ１５は、基板を介してビス１本で前玉鏡筒ユニット１に固定されている。
【００３９】
ここで、第３レンズ群Ｌ３を光軸直交面内で移動可能とするシフトユニット３の構成について説明する。
【００４０】
第３レンズ群Ｌ３は、ＰＩＴＣＨ方向（カメラ本体の縦方向）の角度変化による像振れを補正するためにＰＩＴＣＨ方向に移動可能であるとともに、ＹＡＷ方向（カメラ本体の横方向）の角度変化による像振れを補正するためにＹＡＷ方向に移動可能である。そして、第３レンズ群Ｌ３のＰＩＴＣＨ方向およびＹＡＷ方向への移動により、光軸直交面内における任意の位置に停止する。ここで、第３レンズ群Ｌ３のＰＩＴＣＨ方向およびＹＡＷ方向への駆動は、ＰＩＴＣＨ方向およびＹＡＷ方向の各方向への駆動に応じた２組の専用の駆動部材および位置検出部材によって行われる。
【００４１】
これら２組の専用の駆動部材および位置検出部材は、両者が９０度の角度をなすように配置されているだけであり、この構成は互いに同じ構成となっている。以下、第３レンズ群Ｌ３をＰＩＴＣＨ方向に駆動するための駆動部材および位置検出部材（図２に示されているもの）のみについて説明する。
【００４２】
３ｂは、シフトユニット３のベースとなるシフトベースであり、前玉鏡筒ユニット１および後部鏡筒５に固定されてレンズ鏡筒の外装の一部を構成している。３ｄは圧縮コイルバネであり、このコイルバネ３ｄの近傍に配置される後述する検出用磁石３ｆおよび駆動用磁石３ｊに吸引されないような材質、例えばリン青銅線で構成されている。この圧縮コイルバネ３ｄは、光軸と平行に配置されている。
【００４３】
３ａはシフト鏡筒で、光軸直交面内をシフトするレンズ群である第３レンズ群Ｌ３を保持する可動部材である。圧縮コイルバネ３ｄの一端は、シフト鏡筒３ａに形成された不図示のＶ字溝部によって保持され、位置決めされている。
【００４４】
３ｌはボールであり、シフトベース３ｂおよびシフト鏡筒３ａによって挟まれて保持されている。なお、図１中には１つのボール３ｌしか表示していないが、実際には光軸直交面内に３つ配置されている。ボール３ｌの材質としては、ボール３ｌの近傍に配置される後述する駆動用磁石３ｊに吸引されないような材質を用いることができ、例えばＳＵＳ３０４（オーステナイト系のステンレス鋼）を好適に用いることができる。
【００４５】
シフトベース３ｂおよびシフト鏡筒３ａにおけるボール３ｌの当接面はそれぞれ、光軸に対して直交する面となっており、３つのボール３ｌの呼び径が同じ場合には、これらの当接面の光軸方向における位置を略等しくすることにより、シフトレンズ群Ｌ３を光軸に対して直角を保った状態で保持できるとともに、この状態のまま光軸直交面内を移動させることができる。
【００４６】
３ｃはシフトユニット３の後端側に配置されるセンサベースであり、２本の位置決めピンで位置決めされ、ビス３本でシフトベース３ｂに固定される。このセンサベース３ｃには、圧縮コイルバネ３ｄの他端が係合している。
【００４７】
圧縮コイルバネ３ｄは、シフト鏡筒３ａおよびセンサベース３ｃ間に圧縮された状態で組み込まれており、シフト鏡筒３ａをボール３ｌを介してシフトベース３ｂに付勢する。ここで、ボール３ｌがシフトベース３ｂおよびシフト鏡筒３ａにおける当接面から容易に脱落しない程度の粘度を有する潤滑油をボール３ｌ等に塗布してもよい。これにより、圧縮コイルバネ３ｄの付勢力を上回る慣性力がシフト鏡筒３ａに働いて、ボール３ｌがシフトベース３ｂおよびシフト鏡筒３ａにより挟まれて保持されていない状態でも、ボール３ｌの位置が容易にずれるのを防止できる。
【００４８】
次に、シフト鏡筒３ａにおける駆動機構について説明する。
【００４９】
３ｊは光軸に対して放射方向に２極に着磁された駆動用磁石、３ｋは駆動用磁石３ｊにおけるレンズ鏡筒前側の磁束を閉じるためのヨーク、３ｉはシフト鏡筒３ａに接着により固定されたコイルである。３ｈは駆動用磁石３ｊにおけるレンズ鏡筒後側の磁束を閉じるためのヨークであり、駆動用磁石３ｊとでコイル３ｉが移動する空間を形成し、シフトベース３ｂに対して磁石の磁力により固定されて磁気回路を構成している。
【００５０】
コイル３ｉに電流を流すと、駆動用磁石３ｊの２極着磁の着磁境界に対して略垂直方向に、磁石とコイルに発生する磁力線相互の反発によるローレンツ力が発生し、シフト鏡筒３ａを移動させる。これは、いわゆるムービングコイル型の駆動機構となっている。
【００５１】
上述した構成は、ＰＩＴＣＨ方向およびＹＡＷ方向のそれぞれについて設けられているため、シフト鏡筒３ａを略直交する２つの方向に駆動することができる。ここで、シフト鏡筒３ａは、上述したように圧縮コイルバネ３ｄにより３つのボール３ｌを介してシフトベース３ｂに付勢されているため、シフト鏡筒３ａが駆動されるときに負荷となる摩擦力はボール３ｌの転がり摩擦のみとなる。この摩擦力は極めて小さいため、シフト駆動部３ａを微小に駆動制御することができる。
【００５２】
次に、シフト鏡筒３ａの位置検出機構について説明する。
【００５３】
３ｆは光軸に対して放射方向に２極に着磁された検出用磁石、３ｇは検出用磁石３ｆにおけるレンズ鏡筒前側の磁束を閉じるためのヨークであり、両者はシフト鏡筒３ａに固定されている。３ｅは磁束密度を電気信号に変換するホール素子であり、センサベース３ｃに位置決め固定されている。これらの部材により位置検出機構が構成されている。
【００５４】
上述した構成において、シフト鏡筒３ａがＰＩＴＣＨ方向又はＹＡＷ方向に駆動したとき、ホール素子３ｅによって検出される磁束密度が変化し、この磁束密度の変化を適当な信号処理によりホール素子３ｅから電気信号として検出することによりシフト鏡筒３ａ（第３レンズ群Ｌ３）の位置を検出することが可能となる。
【００５５】
次に、光量調節装置９の構造と、絞り羽根およびＮＤフィルタの駆動機構とについて図２〜図４を用いて詳細に説明する。ここで、図２は光量調節装置の分解斜視図、図３は光量調節装置の正面図、図４は絞りをオープンからクローズする際の光量調節装置の動きを連続的に示した図である。
【００５６】
絞り羽根９５、９６は、回動式電磁アクチュエータ（モータ）９１、シーソー式の絞り駆動レバー（第１の駆動部材）９３を介して駆動される。絞り駆動レバー９３の突起部９３ａは絞り羽根９５の長穴部９５ａと係合し、絞り駆動レバー９３の突起部９３ｂは絞り羽根９６の長穴部９６ａと係合する。
【００５７】
光量調節装置９の地板（すなわち、ケーシング、装置本体）９２に形成された突起部９２ａ、９２ｂは、２枚の絞り羽根９５、９６の長穴部９５ｂ、９６ｂと係合する。この構成により、絞り羽根９５、９６は、地板９２の突起部９２ａ、９２ｂに案内され、モータ（駆動源）９１の回転に応じて装置上下方向（図３中上下方向）に往復運動する。これにより、絞り羽根（遮光部材）９５、９６は、地板９２に形成された固定開口部９２ｆ内に進退することにより、光通過口を変化させることができる。
【００５８】
モータ９１には、円柱状に形成された永久磁石製のロータ又は、円柱状に形成された金属体の外周面に着磁されたロータを有する電磁駆動アクチュエータを使用することができる。このモータ９１は、ロータの外周面の磁極の移動変化がホール素子によって検出され、この検出結果に応じて回転位置や回転量（回転角）が制御される。
【００５９】
なお、電磁駆動アクチュエータに代えて、ステッピングモータを使用してもよい。この場合、絞り羽根９５、９６の初期位置を決定する機構を設ければ、ステップ数に応じて絞り羽根９５、９６により形成される絞り開口を決定できるため、ホール素子は不要になる。
【００６０】
絞り駆動レバー９３の突起部９３ａは、絞り羽根９５の長穴部９５ａと係合しているとともに、ＮＤ駆動レバー（第２の駆動部材）９４の長穴部９４ａとも係合している。また、ＮＤ駆動レバー９４の長穴部９４ｂは、地板９２の突起部９２ｄ、９２ｅと係合している。上述した構成において、絞り駆動レバー９３が回転するとＮＤ駆動レバー９４は、地板９２の突起部９２ｄ、９２ｅに案内され、装置上下方向に往復運動する。
【００６１】
一方、ＮＤ駆動レバー９４の突起部９４ｃは、ＮＤフィルタ９７ａが貼り付けられたＮＤ羽根９７の基端部側に形成された長穴部９７ｃに係合しており、ＮＤ羽根９７の穴部９７ｂは、地板９２の突起部９２ｃと嵌合している。この構成において、ＮＤ駆動レバー９４が絞り駆動レバー９３の回転に応じて装置上下方向に往復運動すると、ＮＤ羽根９７は地板９２の突起部９２ｃを回転中心として回転する。
【００６２】
ＮＤ羽根９７におけるＮＤフィルタ９７ａの形成領域は、図３に示すように、絞り開口内に先に侵入する領域における横幅Ｃと、後に進入する領域における横幅ＤとがＣ＞Ｄの関係となるように形成されている。すなわち、ＮＤフィルタ９７ａの形成領域のうち絞り開口内に先に進入する領域から後に進入する領域に向かって、この横幅が狭くなるように形成されている。
【００６３】
本実施形態において、ＮＤフィルタ９７ａは単濃度で構成されているが、小絞り回折を防ぐために２種類以上の濃度で構成し、ＮＤフィルタ９７ａの形成領域のうち絞り開口内に先に進入する領域を第１の濃度とし、絞り開口内に後に進入する領域を第１の濃度より濃い第２の濃度としてもよい。そして、２種類以上の濃度の中に、透過率１００％である透明部を設けてもよく、絞り開口内に先に進入する領域を透明部とする構成がよい。また、本実施形態では、絞り駆動レバー９３およびＮＤ駆動レバー９４により、絞り羽根９５、９６やＮＤ羽根９７を駆動しているが、他の部材、例えば歯車等を用いて駆動するようにしてもよい。
【００６４】
ここで、図４の動作図に示すように、絞り開口内に先に進入するＮＤフィルタ９７ａの領域は、比較的絞り開口面積が大きい段階で絞り開口内に進入し、逆に絞り開口内に後から進入するＮＤフィルタ９７ａの領域は小絞りの段階で絞り開口内に進入する。このため、上述したように、ＮＤフィルタ９７ａの横幅をＣ＞Ｄとなるように設定することで、必要最小限のＮＤフィルタ９７ａの領域で絞り開口を覆うことができる。これにより、ＮＤ羽根９７やＮＤフィルタ９７ａを必要最小限の大きさとすることができ、光量調節装置（光学機器）の小型化、コストの削減を図ることができる。
【００６５】
上述した光量調節装置９の構成において、モータ９１を回転させると、図４に示すように絞りオープンからクローズまで（ａ）〜（ｈ）の順に絞り動作を行う。この絞り動作において、絞り羽根９５、９６が互いに反対の方向に移動する速度（固定開口部９２ｆに対する絞り羽根９５、９６の移動速度）に対して、ＮＤ羽根９７が絞り開口内へ進入する速度（固定開口部９２ｆに対するＮＤ羽根９７の移動速度）の方が速くなっている。
【００６６】
すなわち、光量調節装置９の構成では、絞り羽根９５およびＮＤ駆動レバー９４の速度が同じであるため、ＮＤ羽根９７が絞り開口内に進入する速度は、絞り羽根９５、９６が絞り開口内に進入する速度に対して、Ｂ／Ａ倍となっている（図３）。
【００６７】
ここで、図３に示すように、Ｂは、ＮＤ羽根９７の回転中心である地板９２の突起部９２ｃからＮＤフィルタ９７ａの幅中央までの距離を示す。また、Ａは、突起部９２ｃからＮＤ羽根９７を回転させるための作用点に相当するＮＤ駆動レバー９４の突起部９４ｃまでの距離を示す。上記構成では、絞り羽根９５、９６と同じ速度で移動するＮＤ駆動レバー９４（突起部９４ｃ）が、ＮＤ羽根９７の基端部側（長穴部９７ｃ）を押し込むため、ＮＤ羽根９７の移動速度は、絞り羽根９５、９６の移動速度よりも速くなる。
【００６８】
図４の動作説明図に示すように、絞り羽根９５、９６により形成される絞り開口領域の一部の領域にＮＤフィルタ９７ａが進入して、いわゆる小絞り回折を引き起こす「ＮＤ半掛かり」となっている状態は、図４中（ｂ）、（ｃ）、（ｄ）に示す状態のみであり、それ以外の状態ではＮＤフィルタ９７ａが絞り開口から完全に退避しているか、逆に絞り開口を完全に覆っているかのどちらかである。
【００６９】
ここで、本実施形態における光量調節装置の動作（図４）と、絞り羽根にＮＤフィルタを貼り付けた構造を持つ従来の光量調節装置（図１８）の動作（図１９）とを比較する。ここで、図４の（ａ）〜（ｈ）に示す状態はそれぞれ、図１９の（ａ）〜（ｈ）に示す状態に相当し、両図の（ａ）〜（ｈ）における絞り駆動レバー９３（２３ｄ）の回転角度は略等しくなっている。
【００７０】
従来の光量調節装置では、図１９の（ａ）〜（ｆ）に示す状態が「ＮＤ半掛かり」の状態であるのに対して、本実施形態の光量調節装置では、図４の（ｂ）〜（ｄ）に示す状態が「ＮＤ半掛かり」の状態となっている。このように本実施形態の光量調節装置と従来の光量調節装置とを比較すると、本実施形態の光量調節装置は「ＮＤ半掛かり」の状態が一時的である。
【００７１】
本実施形態の光量調節装置によれば、ＮＤフィルタ９７ａが絞り口径を素速く覆うため、絞り口径を変化させる区間のうち小絞り回折によりＭＴＦが劣化する区間を小さくする（小絞り回折によりＭＴＦが劣化する期間（時間）を短くする）ことができる。具体的には、図１８に示す従来の光量調節装置に比べて、小絞り回折によるＭＴＦの劣化を一時的な期間（時間）に抑えることができる。しかも、１つのアクチュエータの駆動力により絞り羽根９５、９６およびＮＤ羽根９７を駆動することができるため、絞り羽根およびＮＤ羽根の駆動を別々のアクチュエータを用いて行う場合に比べて、部品点数を削減でき、光量調節装置の小型化を図ることができる。
【００７２】
図５は、絞り開口の変化による垂直方向のコントラストの変化を示すグラフである。同図において、横軸は絞り羽根９５、９６によって形成される絞り開口の形状を示し、同図の符号（ａ）〜（ｈ）は、図４の（ａ）〜（ｈ）に対応している。また、縦軸は撮像素子（ＣＣＤ）の出力から計算した、ある周波数におけるコントラストである。なお、縦軸のコントラストにおけるＭＡＸの値は、レンズの種類によって異なるが、通常５０〜７０％程度である。
【００７３】
図中の実線は、本実施形態の光量調節装置を用いた場合のグラフであり、図中点線は、特許文献１の光量調節装置を用いた場合のグラフである。
【００７４】
図５において、特許文献１の光量調節装置では、（ｃ）および（ｅ）の近傍において、コントラストが落ち込む領域（期間）があり、本実施形態の光量調節装置では、（ｃ）および（ｄ）間でコントラストが落ち込む領域（期間）がある。本実施形態では、図５に示すように、特許文献１に比べて絞り口径が変化する区間のうちＭＴＦ（コントラスト）が劣化（落ち込み）する区間を小さく（劣化する区間の時間を短く）することができる。これにより、本実施形態の光量調節装置を撮像装置等に搭載すれば、高品位な画質を得ることができる。
【００７５】
なお、コントラストが落ち込む状態（上述の「ＮＤ半掛かり」の状態）においては、この状態が発生する絞り値のみを使用せずＣＣＤの電子シャッタ機能（電荷蓄積時間の制御）を併用させた絞り制御としてもよい。
【００７６】
また、本実施形態では、ＮＤ羽根９７の長穴部９７ｃが曲線溝となっているが、長穴部９７ｃを直線溝としてもよい。本実施形態のように長穴部９７ｃを曲線溝とすると、絞り羽根９５、９６により形成される絞り開口がオープン付近又はクローズ付近にあるときのみ、つまり、ＮＤフィルタ９７ａによる小絞り回折を起こさない状態にあるときのみ、ＮＤ羽根９７の移動速度を小さくすることができる。特に、長穴部９７ｃにより、図４中（ｆ）から（ｈ）に示す状態に移行する際のＮＤ羽根９７の移動速度（移動領域）を小さくできる。
【００７７】
このようにＮＤ羽根９７の移動速度を小さくした分、ＮＤ羽根９７の回転角度を小さくでき、ＮＤ羽根９７の移動領域を小さくすることができるため、光量調節装置（光学機器）を小型化することができる。
【００７８】
第１実施形態では、前述のように絞り羽根の移動速度に対するＮＤ羽根の移動速度はＢ／Ａ倍になり、この場合の具体的な数値としては約２．５倍となる。
【００７９】
（第２実施形態）
次に、本発明の第２実施形態である光学機器における光量調節装置について、図６から図８を用いて説明する。ここで、図６は光量調節装置の分解斜視図、図７は光量調節装置の正面図、図８は絞りをオープンからクローズする際の光量調節装置の動作を連続的に示した図である。
【００８０】
なお、第１実施形態で説明した部材と同じ部材については同一符号を付して説明を省略する。また、本実施形態の光量調節装置は、第１実施形態の光量調節装置と同様に第１実施形態で説明したレンズ鏡筒に搭載することができる。
【００８１】
絞り羽根９５、９６は、回動式電磁アクチュエータ（モータ）９１、シーソー式の絞り駆動レバー９３を介して駆動される。絞り駆動レバー９３の突起部９３ａは絞り羽根９５の長穴部９５ａと係合し、絞り駆動レバー９３の突起部９３ｂは絞り羽根９６の長穴部９６ａと係合する。
【００８２】
光量調節装置９の地板（すなわち、ケーシング）９２の突起部９２ａ、９２ｂは、２枚の絞り羽根９５、９６の長穴部９５ｂ、９６ｂと係合する。このため、絞り羽根９５、９６は、地板９２の突起部９２ａ、９２ｂに案内され、モータ９１の回転に応じて装置上下方向（図７中上下方向）に往復運動する。
【００８３】
絞り駆動レバー９３の突起部９３ａは、絞り羽根９５の長穴部９５ａと係合しているとともに、ＮＤ駆動レバー９４の穴部９４ａ１に嵌合している。また、ＮＤ駆動レバー９４の長穴部９４ｂは、地板９２の突起部９２ｄと係合している。上述した構成において、絞り駆動レバー９３が回転するとＮＤ駆動レバー９４は、地板９２の突起部９２ｄに案内され、図８に示すように揺動しながら装置上下方向に往復運動する。
【００８４】
図８において、ＮＤ羽根９７の長穴部９７ｃの長穴方向をｘＮ、ＮＤ駆動レバー９４の長穴部９４ｂの長穴方向をｘＬ（ｘはａ〜ｈ、図８中の（ａ）〜（ｈ）に対応）とする。ここで、ｘＮとｘＬの相対角度が９０度となるときに、ＮＤ羽根９７は最も速い速度で駆動する。逆にｘＮとｘＬの相対角度が９０度から離れて０度や１８０度に近づくと、ＮＤ羽根９７の移動速度は遅くなる。
【００８５】
図８の動作説明図に示すように、「ＮＤ半掛かり」となっている状態は、図８中（ｂ）、（ｃ）、（ｄ）に示す状態だけであり、この状態にあるとき、ｘＮとｘＬの相対角度が９０度に最も近づくようになっている。このように「ＮＤ半掛かり」の状態において、ｘＮとｘＬの相対角度が９０度に近づくことで、ＮＤ羽根９７の移動速度を速めることができ、絞り口径を変化させる区間における「ＮＤ半掛かり」の区間（ＭＴＦの劣化する区間）を小さくする（劣化する区間の発生している時間を短く）ことができる。
【００８６】
一方、ｘＮおよびｘＬの相対角度が９０度から外れているときには、ＮＤ羽根９７の移動速度が遅くなり、ＮＤ羽根９７の回転角度（移動領域）が小さくなるため、光量調節装置（光学機器）の小型化を図ることができる。
【００８７】
本実施形態の光量調節装置によれば、１つのアクチュエータで絞り羽根９５、９６とＮＤ羽根９７を駆動することができるとともに、小絞り回折によるＭＴＦの劣化を一時的な期間（時間）に抑えることができる。本実施形態において、絞り開口の変化によるコントラストの変化は、第１実施形態で説明したグラフ（図５）と同様の結果となる。
【００８８】
（第３実施形態）
次に、本発明の第３実施形態である光量調節装置について、図９から図１１を用いて説明する。ここで、図９は光量調節装置の分解斜視図、図１０は光量調節装置の正面図、図１１は絞りをオープンからクローズする際の光量調節装置の動作を連続的に示した図である。
【００８９】
なお、第１実施形態で説明した部材と同じ部材については同一符号を付して説明を省略する。また、本実施形態の光量調節装置は、第１実施形態の光量調節装置と同様に第１実施形態で説明したレンズ鏡筒に搭載することができる。
【００９０】
絞り羽根９５、９６は、回動式電磁アクチュエータ（モータ）９１、シーソー式の絞り駆動レバー９３を介して駆動される。絞り駆動レバー９３の突起部９３ａは絞り羽根９５の長穴部９５ａと係合し、絞り駆動レバー９３の突起部９３ｂは絞り羽根９６の長穴部９６ａと係合する。
【００９１】
光量調節装置９の地板（すなわち、ケーシング）９２の突起部９２ａ、９２ｂは、２枚の絞り羽根９５、９６の長穴部９５ｂ、９６ｂと係合する。このため、絞り羽根９５、９６は、地板９２の突起部９２ａ、９２ｂに案内され、モータ９１の回転に応じて装置上下方向（図１０中上下方向）に往復運動する。
【００９２】
絞り駆動レバー９３の突起部９３ａは、絞り羽根９５の長穴部９５ａと係合しているとともに、ＮＤ駆動レバー９４の長穴部９４ａとも係合している。また、ＮＤ駆動レバー９４の長穴部９４ｂ１は、地板９２の突起部９２ｄ、９２ｅと係合しており、この長穴部９４ｂ１の一部が曲線カムとなっている。この構成において、絞り駆動レバー９３が回転するとＮＤ駆動レバー９４は、地板９２の突起部９２ｄ、９２ｅに案内され、図１１に示すように揺動しながら装置上下方向に往復運動する。
【００９３】
図１１において、ＮＤ羽根９７の長穴部９７ｃ１の長穴方向をｘＮ、ＮＤ駆動レバー９４の長穴部９４ｂ１の長穴方向をｘＬ（ｘはａ〜ｈ、図１１中の（ａ）〜（ｈ）に対応）とする。ここで、ｘＮとｘＬの相対角度が９０度となるときに、ＮＤ羽根９７は最も速い速度で駆動する。逆に、ｘＮとｘＬの相対角度が９０度から離れて０度や１８０度に近づくと、ＮＤ羽根９７の移動速度は遅くなる。
【００９４】
図１１の動作説明図に示すように、「ＮＤ半掛かり」となっている状態は、図１１中（ｂ）、（ｃ）、（ｄ）に示す状態だけであり、この状態にあるとき、ｘＮとｘＬの相対角度が９０度に最も近づくようになっている。このように「ＮＤ半掛かり」の状態において、ｘＮとｘＬの相対角度が９０度に近づくことで、ＮＤ羽根９７の移動速度を速めることができ、絞り口径を変化させる区間における「ＮＤ半掛かり」の区間（ＭＴＦの劣化する区間）を小さくすることができる。本実施形態において、絞り開口の変化によるコントラストの変化は、第１実施形態で説明したグラフ（図５）と同様の結果となる。
【００９５】
一方、ｘＮおよびｘＬの相対角度が９０度から外れると、ＮＤ羽根９７の移動速度が遅くなり、ＮＤ羽根９７の回転角度（移動領域）が小さくなるため、光量調節装置（光学機器）の小型化を図ることができる。
【００９６】
本実施形態の光量調節装置によれば、１つのアクチュエータ９１で絞り羽根９５、９６とＮＤ羽根９７を駆動させることができるとともに、小絞り回折によるＭＴＦの劣化を一時的な期間（時間）に抑えることができる。
【００９７】
（第４実施形態）
次に、本発明の第４実施形態である光量調節装置について、図１２から図１４を用いて説明する。ここで、図１２は光量調節装置の分解斜視図、図１３は光量調節装置の正面図、図１４は絞りをオープンからクローズする際の光量調節装置の動作を連続的に示した図である。
【００９８】
なお、第１実施形態で説明した部材と同じ部材については同一符号を付して説明を省略する。また、本実施形態の光量調節装置は、第１実施形態の光量調節装置と同様に第１実施形態で説明したレンズ鏡筒に搭載することができる。
【００９９】
絞り羽根９５、９６は、回動式電磁アクチュエータ（モータ）９１、シーソー式の絞り駆動レバー９３を介して駆動される。絞り駆動レバー９３の突起部９３ａは絞り羽根９５の長穴部９５ａと係合し、絞り駆動レバー９３の突起部９３ｂは絞り羽根９６の長穴部９６ａと係合する。
【０１００】
光量調節装置９の地板（すなわち、ケーシング）９２の突起部９２ａ、９２ｂは、２枚の絞り羽根９５、９６の長穴部９５ｂ、９６ｂと係合する。このため、絞り羽根９５、９６は、地板９２の突起部９２ａ、９２ｂに案内され、モータ９１の回転に応じて装置上下方向（図１３中上下方向）に往復運動する。
【０１０１】
モータ９１には、円柱状に形成された永久磁石製のロータ又は、円柱状に形成された金属体の外周面に着磁されたロータを有する電磁駆動アクチュエータを使用することができる。このモータ９１は、ロータの外周面の磁極の移動変化がホール素子によって検出され、この検出結果に応じて回転位置や回転量（回転角）が制御される。
【０１０２】
なお、電磁駆動アクチュエータに代えて、ステッピングモータを使用してもよい。この場合、絞り羽根９５、９６の初期位置を決定する機構を設ければ、ステップ数に応じて絞り羽根９５、９６により形成される絞り開口を決定できるため、ホール素子は不要になる。
【０１０３】
絞り駆動レバー９３の突起部９３ａは、絞り駆動レバー９３の回転途中でＮＤ駆動レバー（第２の駆動部材）９９と当接するようになっている。ＮＤ駆動レバー９９の穴部９９ａは、地板９２の突起部９２ｆに嵌合しており、この突起部９２ｆを回転中心として回転可能となっている。ＮＤ駆動レバー９９の突起部９９ｂは、ＮＤ羽根９８の長穴部９８ｃと係合している。
【０１０４】
ＮＤ駆動レバー９９は、不図示のバネによって突起部９２ｆを回転中心として図１３中反時計方向に付勢されており、絞り駆動レバー９３の突起部９３ａがＮＤ駆動レバー９９に当接していない状態においては、不図示のストッパに当接している。ＮＤ羽根９８の長穴部９８ｂは、地板９２の突起部９２ａ、９２ｂと係合しており、ＮＤ駆動レバー９９が地板９２の突起部９２ｆを回転中心として回転すると、ＮＤフィルタ９８ａが貼り付けられたＮＤ羽根９８は、装置上下方向（図１３中上下方向）に往復運動する。
【０１０５】
ＮＤ羽根９８におけるＮＤフィルタ９８ａの形成領域は、図１３に示すように、絞り開口内に先に侵入する領域における横幅Ｅと、後に進入する領域における横幅ＦとがＥ＞Ｆの関係となるように構成されている。すなわち、ＮＤフィルタ９８ａの形成領域のうち絞り開口内に先に進入する領域から後に進入する領域に向かって、この横幅が狭くなるように形成されている。
【０１０６】
本実施形態において、ＮＤフィルタ９８ａは単濃度で構成されているが、小絞り回折を防ぐために２種類以上の濃度で構成し、ＮＤフィルタ９８ａの形成領域のうち絞り開口内に先に進入する領域を第１の濃度とし、絞り開口内に後に進入する領域を第１の濃度より濃い第２の濃度としてもよい。そして、２種類以上の濃度の中に、透過率１００％である透明部を設けてもよく、絞り開口内に先に進入する領域を透明部とする構成がよい。また、本実施形態では、絞り駆動レバー９３およびＮＤ駆動レバー９９により、絞り羽根９５、９６やＮＤ羽根９８を駆動しているが、他の部材、例えば歯車等を用いて駆動するようにしてもよい。
【０１０７】
ここで、図１４の動作説明図に示すように、絞り開口内に先に進入するＮＤフィルタ９８ａの領域は、比較的絞り開口面積が大きい段階で絞り開口内に進入し、逆に絞り開口内に後から進入するＮＤフィルタ９８ａの領域は小絞りの段階で絞り開口内に進入する。このため、上述したように、ＮＤフィルタ９８ａの形成領域の横幅をＥ＞Ｆとなるように設定することで、必要最小限のＮＤフィルタ９８ａの面積で絞り開口を覆うことができる。これにより、ＮＤ羽根９８やＮＤフィルタ９８ａを必要最小限に小さくすることができ、光量調節装置（光学機器）の小型化、コストの削減を図ることができる。
【０１０８】
上述した光量調節装置９の構成において、モータ９１を回転させると、図１４に示すように絞りオープンからクローズまで（ａ）〜（ｈ）の順に絞り動作を行う。この絞り動作において、絞り駆動レバー９３の突起部９３ａがＮＤ駆動レバー９９に当接するまでは、ＮＤ駆動レバー９９は、不図示のバネとストッパによって図１４中（ａ）〜（ｂ）に示す位置に保持されている。
【０１０９】
図１４中（ａ）〜（ｂ）までは、絞り駆動レバー９３とＮＤ駆動レバー９９が当接しないため、絞り駆動レバー９３の回転量に応じて絞り羽根９５、９６だけが駆動される。その後、図１４中（ｃ）の状態において、初めて絞り駆動レバー９３の突起部９３ａがＮＤ駆動レバー９９と当接してＮＤ駆動レバー９９が穴部９９ａを回転中心として回転する。そして、ＮＤ駆動レバー９９は、絞り羽根９５、９６がクローズの状態になるまで回転するため、ＮＤ羽根９８もＮＤ駆動レバー９９の回転に応じてＮＤフィルタ９８ａが絞り開口を覆う方向に駆動される。
【０１１０】
このとき、第１実施形態と同様に、ＮＤ羽根９８が絞り開口内に進入する速度は、絞り羽根９５、９６が互いに反対方向に移動する速度に対して、Ｈ／Ｇ倍となっている（図１３）。
【０１１１】
ここで、図１３に示すように、Ｈは、ＮＤ駆動レバー９９の回転中心である地板９２の突起部９２ｆからＮＤ羽根９８の長穴部９８ｃと係合するＮＤ駆動レバー９９の突起部９９ｂまでの距離を示す。また、Ｇは、突起部９２ｆからＮＤ駆動レバー９９を回転させるための作用点に相当する絞り駆動レバー９３の突起部９３ａまでの距離を示す。上記構成では、絞り羽根９５、９６を駆動する絞り駆動レバー９３がＮＤ駆動レバー９９の基端部側を押し込むため、ＮＤ羽根９８の移動速度は、絞り羽根９５、９６の移動速度よりも速くなる。
【０１１２】
本実施形態の光量調節装置では、絞り羽根９５、９６による絞り開口の面積を変化させる速度に対して、ＮＤ羽根９８の絞り開口内に対する進入速度がＨ／Ｇ倍となっているため、第１実施形態と同様の理由で、絞り口径が変化する区間における小絞り回折によりＭＴＦが劣化する区間を小さくする（劣化する区間の時間を短くする）ことができる。本実施形態において、絞り開口の変化によるコントラストの変化は、第１実施形態で説明したグラフ（図５）と同様の結果となる。
【０１１３】
また、本実施形態では、絞り駆動レバー９３の全回転角度の途中の段階（絞り羽根９５、９６により形成される絞り開口が小絞り回折を引き起こす段階）からのみＮＤ駆動レバー９９およびＮＤ羽根９８を駆動させる構成をとっている。このため、ＮＤ羽根９８の移動領域を小さくでき、光量調節装置９を小型化することができる。
【０１１４】
一方、本実施形態では、ＮＤ羽根９８の長穴部９８ｃが曲線溝となっている。長穴部９７ｃを直線溝としてもよいが、本実施形態のように長穴部９８ｃを曲線溝とすることによって、絞り羽根９５、９６が形成する絞り開口がクローズ付近にあり、かつ、ＮＤフィルタ９８ａが絞り開口を覆いきった後、ＮＤフィルタによる小絞り回折を起こさない状態にあるときのみ、ＮＤ羽根９８の移動速度を小さくすることができる。これにより、ＮＤ羽根９８の回転角度（移動領域）が小さくなるため、光量調節装置（光学機器）を小型化することができる。
【０１１５】
第４実施形態では、絞り羽根の移動速度に対するＮＤ羽根の移動速度はＨ／Ｇ倍になり、この場合の具体的な数値としては約４．７倍となる。
【０１１６】
（第５実施形態）
次に、本発明の第５実施形態である光量調節装置について、図１５から図１７を用いて説明する。ここで、図１５は光量調節装置の分解斜視図、図１６は光量調節装置の正面図、図１７は絞りをオープンからクローズする際の光量調節装置の動作を連続的に示した図である。
【０１１７】
なお、第４実施形態で説明した部材と同じ部材については同一符号を付して説明を省略する。また、本実施形態の光量調節装置は、第１実施形態の光量調節装置と同様に第１実施形態で説明したレンズ鏡筒に搭載することができる。
【０１１８】
絞り羽根９５、９６は、回動式電磁アクチュエータ（モータ）９１、シーソー式の絞り駆動レバー９３を介して駆動される。絞り駆動レバー９３の突起部９３ａは絞り羽根９５の長穴部９５ａと係合し、絞り駆動レバー９３の突起部９３ｂは絞り羽根９６の長穴部９６ａと係合する。
【０１１９】
光量調節装置９の地板（すなわち、ケーシング）９２の突起部９２ａ、９２ｂは、２枚の絞り羽根９５、９６の長穴部９５ｂ、９６ｂと係合する。このため、絞り羽根９５、９６は、地板９２の突起部９２ａ、９２ｂに案内され、モータ９１の回転に応じて装置上下方向（図１６中上下方向）に往復運動する。
【０１２０】
絞り駆動レバー９３の突起部９３ａは、絞り駆動レバー９３の回転途中でＮＤ駆動レバー９９と当接するようになっている。ＮＤ駆動レバー９９の穴部９９ａは、地板９２の突起部９２ｆに嵌合しており、この突起部９２ｆを回転中心として回転可能となっている。ＮＤ駆動レバー９９の突起部９９ｂは、ＮＤ羽根９８の長穴部９８ｃ１と係合している。
【０１２１】
ＮＤ駆動レバー９９は、不図示のバネによって突起部９２ｆを回転中心として図１６中反時計方向に付勢されており、絞り駆動レバー９３の突起部９３ａがＮＤ駆動レバー９９に当接していない状態においては、不図示のストッパに当接している。ＮＤ羽根９８の長穴部９８ｂは、地板９２の突起部９２ａ、９２ｂと係合しており、ＮＤ駆動レバー９９が地板９２の突起部９２ｆを回転中心として回転すると、ＮＤフィルタ９８ａが貼り付けられたＮＤ羽根９８は、装置上下方向（図１６中上下方向）に往復運動する。
【０１２２】
本実施形態において、絞り駆動レバー９３の突起部９３ａが当接するＮＤ駆動レバー９４の側面には、曲線の端面カム９９ｃが形成されている。この端面カム９９ｃを形成することによって、絞り羽根９５、９６により形成される絞り開口がクローズ付近にあり、かつ、ＮＤフィルタが絞り開口部を覆いきった後、ＮＤフィルタによる小絞り回折を起こさない状態にあるときのみ、ＮＤ羽根９８の移動速度を遅くすることができる。これにより、ＮＤ羽根９８の移動速度を遅くした分だけＮＤ羽根９８の回転角度（移動量）を小さくでき、光量調節装置（光学機器）を小型化することができる。
【０１２３】
【発明の効果】
本発明によれば、固定開口部に対するＮＤフィルタの移動速度を固定開口部に対する複数の遮光部材の移動速度よりも速くして、光通過口をＮＤフィルタで素速く覆うようにしている。これにより、ＮＤフィルタが光通過口の一部を覆う際に生じる小絞り回折によるＭＴＦ（コントラスト）の劣化を一時的、すなわち、絞り口径を変化させる区間におけるＭＴＦが劣化する区間を小さくすることができる。そして、本発明における光量調節装置を有する撮像装置（光学機器）においては、高品位な画質を得ることができる。
【０１２４】
しかも、本発明の光学機器では、駆動機構が、１つの駆動源からの駆動力により複数の遮光部材およびＮＤフィルタを駆動するため、複数の遮光部材およびＮＤフィルタの駆動を別々の駆動源を用いて行う場合に比べて部品点数を減らすことができ、光学機器（光量調節装置）の小型化を図ることができる。
【図面の簡単な説明】
【図１】レンズ鏡筒の主断面図。
【図２】第１実施形態における光量調節装置の分解斜視図。
【図３】第１実施形態における光量調節装置の正面図。
【図４】第１実施形態の光量調節装置において絞りをオープンからクローズする際の動作説明図。
【図５】絞り開口の変化による垂直方向のコントラストの変化を示すグラフ。
【図６】第２実施形態における光量調節装置の分解斜視図。
【図７】第２実施形態における光量調節装置の正面図。
【図８】第２実施形態の光量調節装置において絞りをオープンからクローズする際の動作説明図。
【図９】第３実施形態における光量調節装置の分解斜視図。
【図１０】第３実施形態における光量調節装置の正面図。
【図１１】第３実施形態の光量調節装置において絞りをオープンからクローズする際の動作説明図。
【図１２】第４実施形態における光量調節装置の分解斜視図。
【図１３】第４実施形態における光量調節装置の正面図。
【図１４】第４実施形態の光量調節装置において絞りをオープンからクローズする際の動作説明図。
【図１５】第５実施形態における光量調節装置の分解斜視図。
【図１６】第５実施形態における光量調節装置の正面図。
【図１７】第５実施形態の光量調節装置において絞りをオープンからクローズする際の動作説明図。
【図１８】従来技術における光量調節装置の分解斜視図。
【図１９】従来技術の光量調節装置において絞りをオープンからクローズする際の動作説明図。
【図２０】従来技術のＮＤフィルタを別アクチュエータで駆動するタイプの光量調節装置の分解斜視図。
【符号の説明】
９１：モータ、９２：地板、９３：絞り駆動レバー
９４：ＮＤ駆動レバー、９５：絞り羽根、９６：絞り羽根、９７：ＮＤ羽根
９８：ＮＤ羽根
【図１】
2004138953.tif 000003
【図２】
2004138953.tif 000004
【図３】
2004138953.tif 000005
【図４】
2004138953.tif 000006
【図５】
2004138953.tif 000007
【図６】
2004138953.tif 000008
【図７】
2004138953.tif 000009
【図８】
2004138953.tif 000010
【図９】
2004138953.tif 000011
【図１０】
2004138953.tif 000012
【図１１】
2004138953.tif 000013
【図１２】
2004138953.tif 000014
【図１３】
2004138953.tif 000015
【図１４】
2004138953.tif 000016
【図１５】
2004138953.tif 000017
【図１６】
2004138953.tif 000018
【図１７】
2004138953.tif 000019
【図１８】
2004138953.tif 000020
【図１９】
2004138953.tif 000021
【図２０】
2004138953.tif 000022